(57)【要約】【課題】より簡単に亜鉛電池の劣化を判定すること。【解決手段】一実施形態に係る亜鉛電池の劣化の判定方法は、満充電された亜鉛電池の休止状態における電圧推移を取得する取得ステップと、電圧推移に基づいて亜鉛電池の電圧低下度を算出する算出ステップと、電圧低下度に基づいて亜鉛電池の劣化を判定する判定ステップとを含む。【選択図】図３
2020003218.tif 000002
【特許請求の範囲】
【請求項１】
満充電された亜鉛電池の休止状態における電圧推移を取得する取得ステップと、
前記電圧推移に基づいて前記亜鉛電池の電圧低下度を算出する算出ステップと、
前記電圧低下度に基づいて前記亜鉛電池の劣化を判定する判定ステップと
を含む亜鉛電池の劣化の判定方法。
【請求項２】
前記判定ステップでは、前記電圧低下度が閾値以上である場合に前記亜鉛電池が劣化状態であると判定する、
請求項１に記載の亜鉛電池の劣化の判定方法。
【請求項３】
前記判定ステップでは、
前記電圧低下度が第１閾値以上である場合に、前記亜鉛電池が第１劣化状態であると判定し、
前記電圧低下度が第２閾値以上かつ前記第１閾値未満である場合に、前記亜鉛電池が、前記第１劣化状態よりも劣化の度合いが小さい第２劣化状態であると判定する、
請求項２に記載の亜鉛電池の劣化の判定方法。
【請求項４】
前記取得ステップでは、前記亜鉛電池が満充電されている第１時点での第１電圧と、該第１時点から予め定められた時間が経過した第２時点での第２電圧とを取得することで、前記電圧推移を取得し、
前記算出ステップでは、前記第１電圧と前記第２電圧との差に基づいて前記電圧低下度を算出する、
請求項１〜３のいずれか一項に記載の亜鉛電池の劣化の判定方法。
【請求項５】
前記取得ステップでは、前記亜鉛電池が満充電されている第１時点と、前記亜鉛電池の電圧が、予め定められた基準値まで下がった第２時点とを取得することで、前記電圧推移を取得し、
前記算出ステップでは、前記第１時点から前記第２時点までの経過時間に基づいて前記電圧低下度を算出する、
請求項１〜３のいずれか一項に記載の亜鉛電池の劣化の判定方法。
【請求項６】
前記判定ステップでは、前記電圧低下度が閾値以上であるという監視対象状態が発生した回数に基づいて前記亜鉛電池の劣化を判定する、
請求項１〜５のいずれか一項に記載の亜鉛電池の劣化の判定方法。
【請求項７】
前記判定ステップでは、前記監視対象状態が連続して発生した回数が、予め定められた閾値以上である場合に、前記亜鉛電池が劣化状態であると判定する、
請求項６に記載の亜鉛電池の劣化の判定方法。
【請求項８】
前記判定ステップでは、前記監視対象状態が発生した累積の回数が、予め定められた閾値以上である場合に、前記亜鉛電池が劣化状態であると判定する、
請求項６または７に記載の亜鉛電池の劣化の判定方法。
【請求項９】
亜鉛電池がニッケル亜鉛電池である、
請求項１〜８のいずれか一項に記載の亜鉛電池の劣化の判定方法。
【発明の詳細な説明】
【技術分野】
【０００１】
本発明の一側面は、亜鉛電池の劣化の判定方法に関する。
【背景技術】
【０００２】
従来から、蓄電池の劣化を判定する手法が知られている。例えば、特許文献１には、充電式のバッテリの劣化状態の推定方法が記載されている。この方法は、バッテリの充放電電流を積算することによりクーロンカウント値を生成するステップと、バッテリの状態を監視するステップと、クーロンカウント値に基づいて、バッテリが所定電荷量だけ充放電されたことを検出するステップと、所定電荷量の充放電が検出されるたびに、バッテリの劣化を示す指標Ｘを、所定電荷量が充放電された期間において測定されたバッテリの状態に応じた変化量ΔＸだけ変化させるステップとを含む。
【先行技術文献】
【特許文献】
【０００３】
【特許文献１】特開２０１７−１１６５２２号公報
【発明の概要】
【発明が解決しようとする課題】
【０００４】
上記の推定方法は積算値を考慮するため、亜鉛電池をその推定方法で監視しようとすると長い時間を要してしまう。そこで、より簡単に亜鉛電池の劣化を判定することが望まれている。
【課題を解決するための手段】
【０００５】
本発明の一側面に係る亜鉛電池の劣化の判定方法は、満充電された亜鉛電池の休止状態における電圧推移を取得する取得ステップと、電圧推移に基づいて亜鉛電池の電圧低下度を算出する算出ステップと、電圧低下度に基づいて亜鉛電池の劣化を判定する判定ステップとを含む。
【０００６】
このような側面においては、満充電され且つ休止状態にある亜鉛電池の電圧低下度に基づいて、亜鉛電池が劣化しているか否かが判定される。亜鉛電池を休止させた時間で得られる情報に基づいてその判定を実行できるので、より簡単に亜鉛電池の劣化を判定することができる。
【発明の効果】
【０００７】
本発明の一側面によれば、より簡単に亜鉛電池の劣化を判定することができる。
【図面の簡単な説明】
【０００８】
【図１】蓄電システムおよびその周辺の構成の一例を模式的に示す図である。
【図２】実施形態に係る統括コントローラの機能構成を示す図である。
【図３】実施形態に係る統括コントローラの動作を示すフローチャートである。
【図４】判定処理の具体例を示すフローチャートである。
【図５】電圧推移の一例を示すグラフである。
【図６】電圧推移の別の例を示すグラフである。
【図７】判定処理の具体例を示すフローチャートである。
【図８】判定処理の具体例を示すフローチャートである。
【発明を実施するための形態】
【０００９】
以下、添付図面を参照しながら本発明の実施形態を詳細に説明する。なお、図面の説明において同一または同等の要素には同一の符号を付し、重複する説明を省略する。
【００１０】
［蓄電システムの全体構成］
蓄電システム１は、生成された電気を蓄え、その蓄えた電気を必要に応じて供給するシステムである。蓄電システム１が適用される場面は限定されず、例えば、蓄電システム１は不動産にも動産にも適用可能である。不動産への適用の例として、蓄電システム１は、再生可能エネルギを利用して生成された電気を管理してもよく、例えば家庭、オフィス、工場、農場等の様々な場所で利用され得る。動産への適用の例として、蓄電システム１は自動車等の移動体に動力源として搭載されてもよい。
【００１１】
図１を参照しながら、蓄電システム１を含む電力システムの全体像を説明する。図１は、蓄電システム１およびその周辺の構成の一例を模式的に示す図である。蓄電システム１は、蓄電システム１に電力を供給可能な供給要素２と、蓄電システム１から電力を受け取ることが可能な需要要素４との間に設けられる。蓄電システム１および供給要素２を含む直流系統と、需要要素４を含む交流系統とは、ＰＣＳ（パワーコンディショニングシステム）３を介して電気的に接続される。蓄電システム１、供給要素２、およびＰＣＳ３は、直流電流が流れるＤＣ（Ｄｉｒｅｃｔ  Ｃｕｒｒｅｎｔ）バス６を介して電気的に接続される。需要要素４およびＰＣＳ３は、交流電流が流れるＡＣ（Ａｌｔｅｒｎａｔｉｎｇ  Ｃｕｒｒｅｎｔ）バス７を介して電気的に接続される。供給要素２により生成された電気、または蓄電システム１に蓄えられた電気は需要要素４に供給される。蓄電システム１は、蓄電池をクッションのように利用することで供給要素２から需要要素４への電力供給の変動を緩和する役割を担ってもよい。
【００１２】
供給要素２は、蓄電システム１に電力を供給可能な装置または設備である。供給要素２の種類は何ら限定されない。例えば、供給要素２は、再生可能エネルギを利用して発電を行う発電装置であってもよい。発電方法および発電装置の種類は何ら限定されず、例えば、発電装置は太陽光発電装置でもよいし風力発電機でもよい。あるいは、供給要素２は、移動体に搭載されたモータあってもよい。
【００１３】
需要要素４は、蓄電システム１から電力を受け取ることが可能な装置または設備である。需要要素４の種類も何ら限定されない。例えば、供給要素は、発電、変電、送電、および配電を統合した商用電源の設備である外部の電力系統であってもよい。例えば、外部の電力系統は電力会社により提供される。あるいは、需要要素４は、電力を消費する１以上の機器または装置の集合である負荷であってもよい。負荷の例として、１以上の家庭用または業務用の様々な電気機器の集合と、任意の装置の任意の構成要素とが挙げられる。
【００１４】
ＰＣＳ３は、直流の電気を交流に変換する装置であり、電力変換器の一種である。ＰＣＳ３は、ＤＣバス６に接続するＤＣ端子と、ＡＣバス７に接続するＡＣ端子とを有する。
【００１５】
蓄電システム１は、蓄電装置１０、電力変換器２０、および統括コントローラ３０を備える。一つの蓄電装置１０には一つの電力変換器２０が対応し、これら二つの装置はＤＣバスを介して電気的に接続する。対応し合う蓄電装置１０および電力変換器２０の組を蓄電ユニットということもできる。図１の例では蓄電システム１は３組の蓄電装置１０および電力変換器２０（３個の蓄電ユニット）を備えるが、その組数は限定されず、１でも２でも４以上でもよい。複数の蓄電ユニットが存在する場合に、蓄電装置１０の性能（例えば、定格容量、応答速度など）および電力変換器２０の性能（例えば、定格出力、応答速度など）は統一されてもよいし、統一されなくてもよい。統括コントローラ３０は、通信線４０を介して各蓄電装置１０および各電力変換器２０と通信可能に接続される。
【００１６】
蓄電装置１０は、供給要素２から提供される電気を化学エネルギに変えて蓄える装置であり、充放電が可能である。蓄電装置１０は、供給要素２から提供された直流電力の変動を緩和（平準化）するためにも用いられ得る。蓄電装置１０は、直列に接続された複数のセルを含んで構成される亜鉛電池（亜鉛二次電池）１１を備える。亜鉛電池１１の例として、ニッケル亜鉛電池、酸化銀・亜鉛電池等が挙げられるが、これらに限定されない。亜鉛電池１１を構成するセルの個数は限定されず、例えば、７個または８個でもよい。蓄電装置１０はさらに、バッテリ・コントロール・ユニット（Ｂａｔｔｅｒｙ  Ｃｏｎｔｒｏｌ  Ｕｎｉｔ：ＢＣＵ）などの制御機能を含み、この制御機能により、蓄電装置１０に関するデータを統括コントローラ３０に送信することができる。
【００１７】
電力変換器２０は、蓄電装置１０の充放電を制御する装置である。電力変換器２０は、統括コントローラ３０から指示信号（データ信号）を受信し、その指示信号に基づいて蓄電装置１０の充放電を制御する。電力変換器２０は、充電モードでは、供給要素２から流れてきた電気を蓄電装置１０に蓄え、放電モードでは、蓄電装置１０を放電させて外部に電力を供給し、停止状態では充放電を行わない。電力変換器２０は、例えばＤＣ／ＤＣコンバータであり得る。
【００１８】
統括コントローラ３０は蓄電装置１０および電力変換器２０を制御するコンピュータ（例えばマイクロコンピュータ）である。図２は、統括コントローラ３０の機能構成を示す図である。この図に示すように、統括コントローラ３０はハードウェア装置としてプロセッサ１０１、メモリ１０２、および通信インタフェース１０３を備える。プロセッサ１０１は例えばＣＰＵであり、メモリ１０２は例えばフラッシュメモリで構成されるが、統括コントローラ３０を構成するハードウェア装置の種類はこれらに限定されず、任意に選択されてよい。統括コントローラ３０の各機能は、プロセッサ１０１が、メモリ１０２に格納されているプログラムを実行することで実現される。例えば、プロセッサ１０１は、メモリ１０２から読み出したデータまたは通信インタフェース１０３を介して受信したデータに対して所定の演算を実行し、その演算結果を他の装置に出力することで、該他の装置を制御する。あるいは、プロセッサ１０１は受信したデータまたは演算結果をメモリ１０２に格納する。統括コントローラ３０は１台のコンピュータで構成されてもよいし、複数のコンピュータの集合（すなわち分散システム）で構成されてもよい。
【００１９】
統括コントローラ３０は、通信ネットワーク４１を介して監視コンピュータ８と接続してもよい。通信ネットワーク４１の構成は限定されず、例えば、インターネットおよびイントラネットのうちの少なくとも一方を用いて構築されてもよい。監視コンピュータ８は、蓄電システム１の状況を監視するコンピュータである。監視コンピュータ８の種類は限定されない。例えば、監視コンピュータ８は携帯型または据置型のパーソナルコンピュータであってもよい。あるいは、監視コンピュータ８は、高機能携帯電話機（スマートフォン）、携帯電話機、携帯情報端末（ＰＤＡ）、タブレットなどの携帯端末でもよい。監視コンピュータ８は蓄電システム１の一部でもよいし、蓄電システム１とは別のコンピュータシステムに設けられてもよい。
【００２０】
蓄電システム１の特徴の一つは亜鉛電池の劣化の判定方法にあり、この特徴は特に統括コントローラ３０により実現される。以下では、その判定処理に関する統括コントローラ３０の機能および構成を説明する。
【００２１】
プロセッサ１０１は取得部３１、算出部３２、判定部３３、および出力部３４として機能する。取得部３１は、亜鉛電池１１の電圧を取得する機能要素である。算出部３２は、取得された電圧に基づいて亜鉛電池１１の電圧低下度を算出する機能要素である。電圧低下度とは、亜鉛電池１１の電圧がどのくらい下がったかを示す指標である。判定部３３はその電圧低下度に基づいて亜鉛電池１１の劣化状態を判定する機能要素である。出力部３４はその判定に基づくデータを出力する機能要素である。劣化状態とは、亜鉛電池１１の性能が初期状態（製造時の状態）からどのくらい低下したかを示す概念である。亜鉛電池１１の劣化の典型は、負極（亜鉛電極）の表面から成長するデンドライト（針状または樹枝状の結晶）がセパレータを突き破って正極まで達することで発生する内部短絡である。亜鉛電池１１の劣化の程度は、デンドライトの成長の程度に左右され得る。
【００２２】
メモリ１０２はプロセッサ１０１の動作に必要な情報を記憶する。例えば、メモリ１０２は判定規則３５を記憶する。判定規則３５は、劣化状態の判定に用いられる情報である。判定規則３５の記述方法は限定されない。例えば、判定規則３５は数式、閾値、アルゴリズム、および対応表のいずれかで表されてもよいし、数式、閾値、アルゴリズム、および対応表のうちの任意の２以上の組合せで表されてもよい。あるいは、判定規則３５は、プロセッサ１０１により実行されるプログラムの一部であってもよい。
【００２３】
判定規則３５は書き換え可能であってもよい。例えば、蓄電装置１０または亜鉛電池１１が別の型のものに交換されたり新しい型の蓄電装置１０または亜鉛電池１１が追加されたりした場合には、管理者がその構成の変更に応じてメモリ１０２内の判定規則３５を書き換える。この場合、管理者は所定の通信ネットワーク（図示せず）を介して管理用のコンピュータ（図示せず）で統括コントローラ３０にアクセスし、構成の変更を反映した新たな判定規則３５を統括コントローラ３０に転送してもよい。この転送により、メモリ１０２内の判定規則３５が書き換えられる。
【００２４】
通信インタフェース１０３はプロセッサ１０１と連携してデータの送受信を実行する。例えば、通信インタフェース１０３は取得部３１と連携して、亜鉛電池１１に関するデータを受信する。また、通信インタフェース１０３は出力部３４と連携して、判定に基づくデータを送信する。
【００２５】
［統括コントローラの動作］
図３〜図８を参照しながら、統括コントローラ３０の動作を説明するとともに本実施形態に係る、亜鉛電池の劣化の判定方法について説明する。図３は統括コントローラ３０の動作の例を示すフローチャートであり、具体的には、一つの蓄電装置１０に対する処理を示す。図４、図７、および図８は、判定処理の具体例を示すフローチャートである。図５および図６は電圧推移の例を示すグラフである。
【００２６】
ステップＳ１１では、取得部３１が、満充電された亜鉛電池１１の休止状態における電圧推移を取得する（取得ステップ）。この処理は、満充電された亜鉛電池１１が休止状態である場合の該亜鉛電池１１の電圧推移を取得することを意味する。満充電とは、亜鉛電池１１に十分に電気が蓄えられた状態のことをいい、例えば、亜鉛電池１１の能力または仕様により決定される最大限にまで電気が蓄えられた状態のことをいう。休止状態とは、亜鉛電池１１が稼働していない状態のことをいい、より具体的には、亜鉛電池１１が充電も放電もしていない状態のことをいう。したがって、取得部３１により取得される電圧は開回路電圧（通電していないときの亜鉛電池１１の電圧）である。電圧推移とは、時間の経過に伴って生ずる亜鉛電池１１の電圧（開回路電圧）の変化のことをいう。
【００２７】
取得部３１は、二つの時点における電圧を取得することで電圧推移を取得できる。本実施形態では、その二つの時点を第１時点および第２時点ともいう。第１時点は、亜鉛電池１１が満充電されている時点、またはほぼ満充電されている時点でもよい。例えば、第１時点は、亜鉛電池１１の満充電が完了した時点でもよい。第２時点は、第１時点から予め定められた時間（例えば３０分、４０分、５０分、１時間など）が経過した時点である。例えば、取得部３１は、亜鉛電池１１の満充電が完了した第１時点と、該第１時点から１時間経過した第２時点とにおいて亜鉛電池１１の電圧を取得することで、電圧推移を取得してもよい。
【００２８】
ステップＳ１２では、算出部３２が電圧推移に基づいて亜鉛電池１１の電圧低下度を算出する（算出ステップ）。電圧がどのくらい下がったかを示す限り、電圧低下度の計算方法は限定されない。例えば、算出部３２は第１時点での電圧（第１電圧）と第２時点での電圧（第２電圧）との差ΔＶに基づいて電圧低下度を算出してもよい。差ΔＶは電圧推移の一例である。より具体的には、算出部３２はその差ΔＶそのものを電圧低下度として求めてもよい。あるいは、算出部３２は、満充電である場合の電圧（第１電圧）に対する差ΔＶの割合を電圧低下度として求めてもよい。あるいは、算出部３２は、亜鉛電池１１の公称電圧に対する差ΔＶの割合を電圧低下度として求めてもよい。なお、亜鉛電池１１がニッケル亜鉛電池であれば、満充電である場合の電圧（第１電圧）は１．９Ｖであり、公称電圧は１．６Ｖである。
【００２９】
ステップＳ１３では、判定部３３が電圧低下度に基づいて亜鉛電池１１の劣化状態を判定する（判定ステップ）。劣化状態を判定する具体的な手法は一つに限定されず、判定部３３は様々な手法を用いて劣化状態を判定してもよい。
【００３０】
図４は判定処理（判定ステップ）の一例を示す。ステップＳ１１１では、判定部３３が電圧低下度を閾値Ｔａと比較する。電圧低下度がＴａ未満であれば（ステップＳ１１１においてＮＯ）、処理はステップＳ１１２に移り、判定部３３は亜鉛電池１１が正常状態であると判定する。正常状態とは、亜鉛電池１１が劣化していないか、または劣化の度合いが無視できる程度に小さいことを意味する。一方、電圧低下度がＴａ以上であれば（ステップＳ１１１においてＹＥＳ）、処理はステップＳ１１３に移り、判定部３３はさらに電圧低下度を閾値Ｔｂと比較する。この閾値Ｔｂは閾値Ｔａよりも大きい値である。
【００３１】
閾値Ｔａおよび閾値Ｔｂの具体的な値は限定されない。本発明の発明者は、亜鉛電池１１の特性を考慮してそれらの閾値を以下のように設定できることを見出した。すなわち、亜鉛電池１１が満充電されている時点を第１時点とし、該第１時点から１時間経過した時点を第２時点として、この１時間で生ずる差ΔＶが０．０３Ｖ以下である場合には、亜鉛電池１１は正常であるといえる。差ΔＶがそれよりも高い値（例えば０．０４Ｖ以上）を超えると、亜鉛電池１１内でデンドライトが成長している可能性があり、したがって、内部短絡の可能性を意識し始める必要が生ずる。差ΔＶがさらに高い場合（例えば０．１３Ｖ以上である場合）には、デンドライトがだいぶ成長している可能性があり、比較的近い将来に内部短絡が生ずる蓋然性が高いと見込まれる。
【００３２】
図５および図６を参照しながら、このような電圧の変化に関する実際の試験結果について説明する。図５は第１の試験の結果を示し、図６は第２の試験の結果を示す。
【００３３】
第１の試験では、亜鉛電池の一例である、定格容量が８Ａｈであるニッケル亜鉛電池を、環境温度２５℃の状況下で稼働させた。まず、ニッケル亜鉛電池の初期放電容量を確認した（ステップＳ１）。この確認の条件（これを「チェック条件」という。）を以下に示す。
［チェック条件（放電）］
・ＤＣバスへの放電
・放電深度（ＤＯＤ）：１００％
・電流：８Ａ
・終止電圧：１．１Ｖ
・サンプリング間隔：１秒
［チェック条件（充電）］
・定電流定電圧（ＣＣ−ＣＶ：Ｃｏｎｓｔａｎｔ  Ｃｕｒｒｅｎｔ−Ｃｏｎｓｔａｎｔ  Ｖｏｌｔａｇｅ）
・電流：８Ａ（カットオフ電流：０．４Ａ）
・電圧：１．９Ｖ
・充電後の休止時間：１２時間以上
・サンプリング間隔：１秒
【００３４】
その後、ＤＯＤが５０％であるサイクルを５０回実行し、各サイクルにおいて、満充電後に１時間休止させた時点での電圧を確認した（ステップＳ２）。各サイクルでの確認の条件（これを「サイクル条件」という。）を以下に示す。
［サイクル条件（放電）］
・ＤＣバスへの放電
・ＤＯＤ：５０％
・電流：２Ａ
・放電容量：４Ａｈ
・放電後の休止時間：１時間
・サンプリング間隔：１秒
［サイクル条件（充電）］
・定電流定電圧（ＣＣ−ＣＶ）
・電流：８Ａ（カットオフ電流：０．４Ａ）
・電圧：１．９Ｖ
・充電後の休止時間：１時間
・サンプリング間隔：１秒
【００３５】
上述した、ＤＯＤが５０％であるサイクルを５０回実施する毎に、上記のチェック条件により放電容量を確認した（ステップＳ３）。この処理において放電容量が４Ａｈ未満になった場合にニッケル亜鉛電池の寿命が来たと判定し、放電容量が４Ａｈを維持する場合にはステップＳ２およびＳ３を繰り返した（ステップＳ４）。
【００３６】
図５は、これらのステップＳ１〜Ｓ４で構成される第１の試験により得られた、休止時間中の電圧推移を示し、具体的には、１サイクル目、５０サイクル目、１００サイクル目、２００サイクル目、２０５サイクル目、および２２３サイクル目での結果を示す。グラフの縦軸は電池の電圧（Ｖ）を示し、横軸は休止時間（ｈ）を示す。
【００３７】
上記の６サイクルにおける、休止時間が１時間である時点（すなわち、第２時点）での電圧Ｖｗと、その１時間で生じた差ΔＶとを以下に示す。第１の試験では最終的に電池が短絡した。
・１サイクル目：Ｖｗ＝１．８７Ｖ。ΔＶ＝０．０３Ｖ。
・５０サイクル目：Ｖｗ＝１．８７Ｖ。ΔＶ＝０．０３Ｖ。
・１００サイクル目：Ｖｗ＝１．８７Ｖ。ΔＶ＝０．０３Ｖ。
・２００サイクル目：Ｖｗ＝１．８５Ｖ。ΔＶ＝０．０５Ｖ。
・２０５サイクル目：Ｖｗ＝１．８１Ｖ。ΔＶ＝０．０９Ｖ。
・２２３サイクル目：Ｖｗ＝１．７７Ｖ。ΔＶ＝０．１３Ｖ。
【００３８】
第２の試験でも、亜鉛電池の一例である、定格容量が８Ａｈであるニッケル亜鉛電池を、環境温度２５℃の状況下で稼働させた。第１の試験と同様に、第２の試験もステップＳ１〜Ｓ４で構成した。ただし、サイクル条件（放電）のＤＯＤを５０％ではなく１００％に設定した。この点のみが第１の試験と異ならせた点である。
【００３９】
図６は、そのステップＳ１〜Ｓ４で構成される第２の試験により得られた、休止時間中の電圧推移を示し、具体的には、１サイクル目、５０サイクル目、１００サイクル目、および２００サイクル目での結果を示す。グラフの縦軸は電池の電圧（Ｖ）を示し、横軸は休止時間（ｈ）を示す。
【００４０】
上記の４サイクルにおける、休止時間が１時間である時点（すなわち、第２時点）での電圧Ｖｗと、その１時間で生じた差ΔＶとを以下に示す。第２の試験では電池は短絡しなかった。
・１サイクル目：Ｖｗ＝１．８７Ｖ。ΔＶ＝０．０３Ｖ。
・５０サイクル目：Ｖｗ＝１．８４Ｖ。ΔＶ＝０．０６Ｖ。
・１００サイクル目：Ｖｗ＝１．８３Ｖ。ΔＶ＝０．０７Ｖ。
・２００サイクル目：Ｖｗ＝１．８３Ｖ。ΔＶ＝０．０７Ｖ。
【００４１】
第１および第２の試験等から得られた知見に基づき、閾値（第２閾値）Ｔａは、差ΔＶが０．０４Ｖ〜０．１３Ｖの間（例えば０．０４Ｖ、０．０５Ｖ、または０．１Ｖ）であることに基づいて設定される値であってもよい。また、閾値（第１閾値）Ｔｂは、差ΔＶが０．１３Ｖ以上（例えば０．１３Ｖ、０．１４Ｖ、または０．１５Ｖ）であることに基づいて設定される値であってもよい。
【００４２】
例えば、差ΔＶそのものを電圧低下度として用いる場合には、閾値Ｔａは０．０４Ｖ〜０．１３Ｖの間の値であってもよく、例えば０．０４Ｖ、０．０５Ｖ、または０．１Ｖでもよい。閾値Ｔｂは０．１３Ｖ以上の値であってもよく、例えば０．１３Ｖ、０．１４Ｖ、または０．１５Ｖでもよい。この例も、差ΔＶに基づいて閾値ＴａおよびＴｂを設定することに相当する。上記のように差ΔＶに関する割合を電圧低下度として用いる場合には、閾値ＴａおよびＴｂは、差ΔＶに基づく割合で表されてもよい。
【００４３】
図４に戻る。電圧低下度がＴｂ以上であれば（ステップＳ１１３においてＹＥＳ）、処理はステップＳ１１４に移り、判定部３３は亜鉛電池１１が第１劣化状態であると判定する。第１劣化状態は、亜鉛電池１１の劣化の度合いが比較的大きい状態のことをいう。一方、電圧低下度がＴｂ未満であれば（ステップＳ１１３においてＮＯ）、すなわち、電圧低下度がＴａ以上かつＴｂ未満であれば、処理はステップＳ１１５に移り、判定部３３は亜鉛電池１１が第２劣化状態であると判定する。第２劣化状態は、亜鉛電池１１の劣化の度合いが第１劣化状態よりも小さい状態のことをいう。この関係を維持する限り、第１劣化状態および第２劣化状態のそれぞれの具体的な意味は限定されない。例えば、第１劣化状態は、比較的近い将来に内部短絡が生ずる蓋然性が高い程にデンドライトが成長していると見込まれる状態に対応してもよい。第２劣化状態は、デンドライトは存在するものの、亜鉛極の放電によるデンドライトの溶解により亜鉛電池１１の性能が改善する可能性がある状態に対応してもよい。
【００４４】
図４に示す例では判定部３３が第１劣化状態および第２劣化状態という２段階で亜鉛電池１１の劣化を判定するが、判定部３３は、その第１劣化状態および第２劣化状態を含む３以上の段階で亜鉛電池の劣化を判定してもよい。
【００４５】
図７は判定処理（判定ステップ）の別の例を示す。ステップＳ１２１では、判定部３３が電圧低下度を閾値Ｔａと比較する。電圧低下度がＴａ未満であれば（ステップＳ１２１においてＮＯ）、処理はステップＳ１２２に移り、判定部３３は亜鉛電池１１が正常状態であると判定する。
【００４６】
一方、電圧低下度がＴａ以上であれば（ステップＳ１２１においてＹＥＳ）、処理はステップＳ１２３に移り、判定部３３は、「電圧低下度が閾値Ｔａ以上である」という状態（監視対象状態）が連続して発生した回数ｎを取得する。言い換えると、判定部３３は、その監視対象状態が何サイクル連続して発生したかを特定する。サイクルとは、ある時間にわたって行われる一回の充電と、該充電の前または後において、ある時間にわたって行われる一回の放電との組合せである充放電サイクルのことをいう。本実施形態では、各サイクルにおいて、亜鉛電池１１は、満充電された後に電圧推移の取得のために休止状態に移り、その後に電力供給のために放電される。判定部３３は、亜鉛電池１１の状態を判定する度にその判定結果を履歴としてメモリ１０２に記録し、ステップＳ１２３においてその履歴を参照することで、その回数ｎを求めることができる。
【００４７】
回数ｎが閾値Ｔｃ未満であれば（ステップＳ１２４においてＮＯ）、処理はステップＳ１２２に移り、判定部３３は亜鉛電池１１が正常状態であると判定する。一方、回数ｎが閾値Ｔｃ以上であれば（ステップＳ１２４においてＹＥＳ）、処理はステップＳ１２５に移り、判定部３３は亜鉛電池１１が第１劣化状態であると判定する。閾値Ｔｃの具体的な値は限定されず、任意の基準に基づいて設定されてよい。例えば、閾値Ｔｃは、亜鉛電池１１の特性などの様々な要因を考慮して設定されてもよい。
【００４８】
負極を構成する亜鉛は析出と溶解とを繰り返すので、デンドライトは時間の経過に伴って単調に成長するとは限らず、デンドライトが一時的に解消する（負極表面からのデンドライトの突出量が一時的に下がる）場合があり得る。したがって、デンドライトのこのような特性を考慮し、判定部３３は、連続する複数の充放電サイクルにおける複数の電圧低下度に基づいて亜鉛電池１１の劣化状態を判定してもよい。電圧低下度が比較的高い状態が続いている場合には、デンドライトがある程度大きく成長していると予想されるので、亜鉛電池１１の劣化がある程度進んでいると判定することができる。
【００４９】
図８は判定処理（判定ステップ）のさらに別の例を示す。ステップＳ１３１では、判定部３３が電圧低下度を閾値Ｔａと比較する。電圧低下度がＴａ未満であれば（ステップＳ１３１においてＮＯ）、処理はステップＳ１３２に移り、判定部３３は亜鉛電池１１が正常状態であると判定する。一方、電圧低下度がＴａ以上であれば（ステップＳ１３１においてＹＥＳ）、処理はステップＳ１３３に移り、判定部３３はさらに電圧低下度を閾値Ｔｂ（Ｔｂ＞Ｔａ）と比較する。閾値Ｔａおよび閾値Ｔｂの具体的な値は、図４の例と同様に設定してよい。
【００５０】
電圧低下度がＴｂ以上であれば（ステップＳ１３３においてＹＥＳ）、処理はステップＳ１３４に移り、判定部３３は亜鉛電池１１が第１劣化状態であると判定する。
【００５１】
一方、電圧低下度がＴｂ未満であれば（ステップＳ１３３においてＮＯ）、処理はステップＳ１３５に移り、判定部３３は、「電圧低下度が閾値Ｔａ以上である」という状態（監視対象状態）が連続して発生した回数ｎを取得する。
【００５２】
回数ｎが閾値Ｔｃ未満であれば（ステップＳ１３６においてＮＯ）、処理はステップＳ１３２に移り、判定部３３は亜鉛電池１１が正常状態であると判定する。一方、回数ｎが閾値Ｔｃ以上であれば（ステップＳ１３６においてＹＥＳ）、処理はステップＳ１３４に移り、判定部３３は亜鉛電池が第１劣化状態であると判定する。
【００５３】
図８に示す例は、図４および図７に示す二つの手法の組合せであるともいえる。
【００５４】
図７および図８は、監視対象状態が発生した回数に基づいて亜鉛電池１１の劣化を判定する処理を含む。この処理の変形として、判定部３３は、「電圧低下度が閾値Ｔａ以上である」という状態（監視対象状態）が連続して発生した回数ｎに代えて、「電圧低下度が閾値Ｔａ以上である」という状態（監視対象状態）が発生した累積の回数ｍに基づいて劣化状態を判定してもよい。すなわち、判定部３３は、累積発生回数ｍが閾値Ｔｄ未満であれば亜鉛電池１１が正常状態であると判定し、累積発生回数ｍが閾値Ｔｄ以上であれば亜鉛電池１１が第１劣化状態であると判定してもよい。上述したように、デンドライトは一時的に解消する場合があり得る。しかし、電圧低下度の比較的高い状態が連続して発生したか不連続で発生したかにかかわらず、該状態を多く検知してきた場合には、デンドライトがある程度大きく成長していると予想される。したがって、判定部３３はこのような場合に、亜鉛電池１１の劣化がある程度進んでいると判定してもよい。閾値Ｔｄの具体的な値は限定されず、任意の基準に基づいて設定されてよい。例えば、閾値Ｔｄは、亜鉛電池１１の特性などの様々な要因を考慮して設定されてもよい。
【００５５】
あるいは、判定部３３は、連続発生回数と累積発生回数との双方を用いて劣化状態を判定してもよい。例えば、判定部３３は連続発生回数ｎおよび累積発生回数ｍの双方をカウントする。そして、判定部３３は、連続発生回数ｎが閾値Ｔｃ以上であるかまたは累積発生回数ｍが閾値Ｔｄ以上である場合には、亜鉛電池１１が第１劣化状態であると判定し、それ以外の場合には、亜鉛電池１１が正常状態であると判定してもよい。
【００５６】
連続発生回数および累積発生回数の少なくとも一方を用いる場合に、判定部３３は、第１劣化状態だけでなく第２劣化状態も判定してもよい。連続発生回数ｎについては、判定部３３は二つの閾値ＴｃｌｏｗおよびＴｃｈｉｇｈを用いる（ただし、Ｔｃｌｏｗ＜Ｔｃｈｉｇｈ）。そして判定部３３は、ｎ＜Ｔｃｌｏｗの場合には亜鉛電池１１が正常状態と判定し、Ｔｃｌｏｗ≦ｎ＜Ｔｃｈｉｇｈの場合には亜鉛電池１１が第２劣化状態と判定し、Ｔｃｈｉｇｈ≦ｎの場合には亜鉛電池１１が第１劣化状態と判定してもよい。累積発生回数ｍについては、判定部３３は二つの閾値ＴｄｌｏｗおよびＴｄｈｉｇｈを用いる（ただし、Ｔｄｌｏｗ＜Ｔｄｈｉｇｈ）。そして判定部３３は、ｍ＜Ｔｄｌｏｗの場合には亜鉛電池１１が正常状態と判定し、Ｔｄｌｏｗ≦ｍ＜Ｔｄｈｉｇｈの場合には亜鉛電池１１が第２劣化状態と判定し、Ｔｄｈｉｇｈ≦ｍの場合には亜鉛電池１１が第１劣化状態と判定してもよい。連続発生回数および累積発生回数の少なくとも一方を用いる場合においても、判定部３３は、第１劣化状態および第２劣化状態を含む３以上の段階で亜鉛電池の劣化を判定してもよい。
【００５７】
このように劣化状態の判定については様々な手法を採用し得る。いずれにしても、判定部３３は、予め定められた判定規則３５（例えば、上記の閾値を含む判定規則３５）を用いて亜鉛電池１１の劣化状態を判定することができる。
【００５８】
図３に戻り、ステップＳ１４では、出力部３４が、判定部３３による判定に基づくデータを出力する。データの内容は限定されない。例えば、出力部３４は、判定結果（例えば、正常状態、第１劣化状態、または第２劣化状態のいずれか）を通信ネットワーク４１を介して監視コンピュータ８に送信してもよい。監視コンピュータ８はその判定結果をモニタ上に表示したりデータベースに格納したりするなどの任意の処理を実行してよい。あるいは、出力部３４は判定結果が第１劣化状態である場合に停止指示を生成し、対応する蓄電装置１０に向けてその停止指示を送信してもよい。「蓄電装置に向けて停止指示を送信する」とは、亜鉛電池１１に充放電をさせないために、該蓄電装置１０に、または該蓄電装置１０に対応する他の装置に、停止指示を送信することをいう。例えば、出力部３４は、蓄電装置１０に対応する電力変換器２０に通信線４０を介して停止指示を送信してもよい。停止させられた蓄電装置１０の亜鉛電池１１は、例えば人手により、新しいものに交換される。
【００５９】
蓄電システム１が複数の蓄電装置１０を備える場合には、統括コントローラ３０はすべての蓄電装置１０についてステップＳ１１〜Ｓ１４の処理を実行する。一つの蓄電装置１０について、ステップＳ１１〜Ｓ１４の処理は繰り返し（例えば個々の充放電サイクルにおいて）実行される。
【００６０】
［プログラム］
コンピュータを統括コントローラ３０として機能させるための判定プログラムは、該コンピュータを取得部３１、算出部３２、判定部３３、および出力部３４として機能させるためのプログラムコードを含む。この判定プログラムは、ＣＤ−ＲＯＭ、ＤＶＤ−ＲＯＭ、半導体メモリ等の有形の記録媒体に固定的に記録された上で提供されてもよい。あるいは、判定プログラムは、搬送波に重畳されたデータ信号として通信ネットワークを介して提供されてもよい。提供された判定プログラムは例えばメモリ１０２に記憶される。プロセッサ１０１がメモリ１０２と協働してその判定プログラムを実行することで、上記の各機能要素が実現する。
【００６１】
［効果］
以上説明したように、本発明の一側面に係る亜鉛電池の劣化の判定方法は、満充電された亜鉛電池の休止状態における電圧推移を取得する取得ステップと、電圧推移に基づいて亜鉛電池の電圧低下度を算出する算出ステップと、電圧低下度に基づいて亜鉛電池の劣化を判定する判定ステップとを含む。
【００６２】
このような側面においては、満充電され且つ休止状態にある亜鉛電池の電圧低下度に基づいて、亜鉛電池が劣化しているか否かが判定される。亜鉛電池を休止させた時間で得られる情報に基づいてその判定を実行できるので、より簡単に亜鉛電池の劣化を判定することができる。亜鉛電池の性能が劣化する際には休止状態における電圧が大きく変化する傾向があるので、電圧低下度からだけでも劣化状態を判定できるこの手法は、亜鉛電池の特定に合ったものといえる。
【００６３】
他の側面に係る亜鉛電池の劣化の判定方法では、判定ステップでは、電圧低下度が閾値以上である場合に亜鉛電池が劣化状態であると判定してもよい。電圧低下度を閾値と比較するという簡単な処理により、亜鉛電池の劣化を判定することができる。
【００６４】
他の側面に係る亜鉛電池の劣化の判定方法では、判定ステップでは、電圧低下度が第１閾値以上である場合に、亜鉛電池が第１劣化状態であると判定し、電圧低下度が第２閾値以上かつ第１閾値未満である場合に、亜鉛電池が、第１劣化状態よりも劣化の度合いが小さい第２劣化状態であると判定してもよい。亜鉛電池の劣化状態はデンドライトの成長の程度に左右され得る。複数の閾値を用いて劣化状態を多段階で判定することで、亜鉛電池のそのような特性を考慮して劣化状態を正確に判定することができる。
【００６５】
他の側面に係る亜鉛電池の劣化の判定方法では、取得ステップでは、亜鉛電池が満充電されている第１時点での第１電圧と、該第１時点から予め定められた時間が経過した第２時点での第２電圧とを取得することで、電圧推移を取得し、算出ステップでは、第１電圧と第２電圧との差に基づいて電圧低下度を算出してもよい。これら二つの時点の電圧から電圧低下度を導出できるので、電圧低下度が簡単な計算で得られる。
【００６６】
他の側面に係る亜鉛電池の劣化の判定方法では、判定ステップでは、電圧低下度が閾値以上であるという監視対象状態が発生した回数に基づいて亜鉛電池の劣化を判定してもよい。亜鉛電池の中でデンドライトは徐々に成長する。複数サイクルにおける電圧低下度の履歴（電圧低下度が閾値以上であった状態の発生回数）に基づいて劣化状態を判定することで、そのような亜鉛電池の劣化状態を正確に判定することができる。
【００６７】
他の側面に係る亜鉛電池の劣化の判定方法では、判定ステップでは、監視対象状態が連続して発生した回数が、予め定められた閾値以上である場合に、亜鉛電池が劣化状態であると判定してもよい。監視対象状態の連続発生回数を考慮することで、亜鉛電池の劣化状態を正確に判定することができる。
【００６８】
他の側面に係る亜鉛電池の劣化の判定方法では、判定ステップでは、監視対象状態が発生した累積の回数が、予め定められた閾値以上である場合に、亜鉛電池が劣化状態であると判定してもよい。監視対象状態の累積発生回数を考慮することで、亜鉛電池の劣化状態を正確に判定することができる。
【００６９】
他の側面に係る亜鉛電池の劣化の判定方法では、亜鉛電池がニッケル亜鉛電池であってもよい。この場合には、より簡単にニッケル亜鉛電池の劣化を判定できる。
【００７０】
［変形例］
以上、本発明をその実施形態に基づいて詳細に説明した。しかし、本発明は上記実施形態に限定されるものではない。本発明は、その要旨を逸脱しない範囲で様々な変形が可能である。
【００７１】
上記実施形態では、亜鉛電池１１が満充電されている第１時点における第１電圧と、第１時点から予め定められた時間が経過した第２時点における第２電圧との差ΔＶに基づいて電圧低下度を算出する。しかし、その差ΔＶとは異なる指標に基づいて電圧低下度が算出されてもよい。例えば、満充電されて休止状態に遷移した亜鉛電池１１の電圧が、満充電時の値から予め定められた基準値まで下がるまでの経過時間に基づいて、電圧低下度が算出されてもよい。亜鉛電池１１が満充電されている時点を第１時点とし、亜鉛電池１１の電圧が基準値まで下がった時点を第２時点とすると、その経過時間は第２時点と第１時点との差である。その経過時間が短いということは、電圧が早く低下することを意味する。したがって、経過時間が短いほど電圧低下度は大きくなる。基準値は任意に設定されてよい。例えば、亜鉛電池１１がニッケル亜鉛電池であれば、その基準値は１．８５Ｖであってもよい。
【００７２】
経過時間に基づいて電圧低下度を算出する場合にも、閾値（例えば、第１閾値および第２閾値）と比較して亜鉛電池１１の劣化を判定することができる。また、監視対象状態の連続発生回数および累積発生回数の少なくとも一方を用いて亜鉛電池１１の劣化を判定することもできる。
【００７３】
すなわち、他の側面に係る亜鉛電池の劣化の判定方法では、取得ステップでは、亜鉛電池が満充電されている第１時点と、亜鉛電池の電圧が、予め定められた基準値まで下がった第２時点とを取得することで、電圧推移を取得し、算出ステップでは、第１時点から第２時点までの経過時間に基づいて電圧低下度を算出してもよい。予め定められた量だけ電圧が低下するのに要した時間から電圧低下度を導出できるので、電圧低下度が簡単な計算で得られる。
【００７４】
例えば少なくとも一つのプロセッサにより実行される、亜鉛電池の劣化の判定方法の処理手順は上記実施形態での例に限定されない。例えば、上述したステップ（処理）の一部が省略されてもよいし、別の順序で各ステップが実行されてもよい。また、上述したステップのうちの任意の２以上のステップが組み合わされてもよいし、ステップの一部が修正又は削除されてもよい。あるいは、上記の各ステップに加えて他のステップが実行されてもよい。
【００７５】
蓄電システム１内で二つの数値の大小関係を比較する際には、「以上」および「よりも大きい」という二つの基準のどちらを用いてもよく、「以下」および「未満」の二つの基準のうちのどちらを用いてもよい。このような基準の選択は、二つの数値の大小関係を比較する処理についての技術的意義を変更するものではない。
【００７６】
上記実施形態では統括コントローラ３０が亜鉛電池の劣化の判定方法を実行するが、この方法の一部または全部が人手により行われてもよい。
【符号の説明】
【００７７】
１…蓄電システム、２…供給要素、３…ＰＣＳ、４…需要要素、６…ＤＣバス、７…ＡＣバス、８…監視コンピュータ、１０…蓄電装置、１１…亜鉛電池、２０…電力変換器、３０…統括コントローラ、３１…取得部、３２…算出部、３３…判定部、３４…出力部、３５…判定規則、４０…通信線、４１…通信ネットワーク。
【図１】
2020003218.tif 000003
【図２】
2020003218.tif 000004
【図３】
2020003218.tif 000005
【図４】
2020003218.tif 000006
【図５】
2020003218.tif 000007
【図６】
2020003218.tif 000008
【図７】
2020003218.tif 000009
【図８】
2020003218.tif 000010